【事件の表示】
　特願２００２−３６０９７８「電気光学装置、電気光学装置の駆動方法および電子機器」拒絶査定不服審判事件〔平成１６年　７月　８日出願公開、特開２００４−１９１７５２〕について、次のとおり審決する。
【結　論】
　本件審判の請求は、成り立たない。
【理　由】
【１】手続の経緯
　本願は、平成１４年１２月１２日の出願であって、平成１７年８月１５日付けで拒絶査定がなされ、これに対し、平成１７年９月１６日に拒絶査定に対する審判請求がなされるとともに、平成１７年１０月１４日付けで明細書を対象とする手続補正がなされたものである。
　
【２】平成１７年１０月１４日付け手続補正についての補正却下の決定
［補正却下の決定の結論］
　　平成１７年１０月１４日付けの手続補正を却下する。
［理由］
［１］補正の内容
　本件補正は、次の内容を含む。
　特許請求の範囲を
　「【請求項１】
　電気光学装置において、
　複数の走査線と、
　複数のデータ線と、
　前記走査線と前記データ線との交差に対応して配置された複数の画素と、
　前記走査線に走査信号を出力することにより、表示階調を示すデータの書込対象となる画素に対応する前記走査線を選択する走査線駆動回路と、
　前記走査線駆動回路と協働し、前記書込対象となる画素に対応する前記データ線に表示階調に相当する大きさのデータ電流を出力するデータ線駆動回路とを有し、
　前記画素のそれぞれは、
　駆動電流に応じた輝度で発光する電気光学素子と、
　前記データ線を介して供給されたデータ電流に応じた電荷を蓄積することにより、データの書き込みが行われるキャパシタと、
　前記キャパシタに蓄積された電荷に応じて、駆動電流を設定し、当該駆動電流を前記電気光学素子に供給する駆動トランジスタと、
　前記書込対象となる画素に対応する前記走査線が選択されてから、当該走査線が次に選択されるまでの期間において、前記走査信号に同期して前記駆動電流の電流経路の遮断を繰り返す制御トランジスタとを有することを特徴とする電気光学装置。
　【請求項２】
　（略）前記キャパシタに対するデータの書き込みを行うことを特徴とする請求項１に記載された電気光学装置。
　【請求項３】
　（略）前記走査信号に同期して前記駆動電流の電流経路の遮断を繰り返す制御トランジスタとを有することを特徴とする電気光学装置。
　【請求項４】
　（略）当該書込対象となる画素に供給する前記パルス信号を、高レベルと低レベルとが交互に繰り返されるパルス状にすることを特徴とする請求項１から３のいずれかに記載された電気光学装置。
　【請求項５】
（略）前記第１の走査信号と同期した前記パルス信号の導通制御によって、前記駆動電流の電流経路の遮断を繰り返す制御トランジスタとを有することを特徴とする電気光学装置。
　【請求項６】　
　（略）前記駆動電流の電流経路を遮断し続けるとともに、前記プログラミング期間に続く駆動期間において、前記駆動電流の電流経路の遮断を繰り返すことを特徴とする請求項５に記載された電気光学装置。
　【請求項７】
（略）前記走査信号と同期した前記パルス信号の導通制御によって、前記駆動電流の電流経路の遮断を繰り返す制御トランジスタとを有することを特徴とする電気光学装置。
　【請求項８】
（略）前記駆動電流の電流経路の遮断を繰り返すことを特徴とする請求項７に記載された電気光学装置。
　【請求項９】
（略）前記走査信号と同期した前記パルス信号の導通制御によって、前記駆動電流の電流経路の遮断を繰り返す制御トランジスタとを有することを特徴とする電気光学装置。
　【請求項１０】
　（略）前記駆動電流の電流経路の遮断を繰り返すことを特徴とする請求項９に記載された電気光学装置。
　【請求項１１】
（略）前記走査信号と同期した前記パルス信号の導通制御によって、前記駆動電流の電流経路の遮断を繰り返す制御トランジスタとを有することを特徴とする電気光学装置。
　【請求項１２】
　（略）前記駆動電流の電流経路の遮断を繰り返すことを特徴とする請求項１１に記載された電気光学装置。
　【請求項１３】
（略）前記第１の走査信号と同期した前記パルス信号の導通制御によって、前記駆動電流の電流経路の遮断を繰り返す制御トランジスタとを有することを特徴とする電気光学装置。
　【請求項１４】
　（略）駆動期間において、前記駆動電流の電流経路の遮断を繰り返し、前記駆動期間を除く期間において、前記駆動電流の電流経路を遮断し続けることを特徴とする請求項１３に記載された電気光学装置。
　【請求項１５】
　請求項１から１４のいずれかに記載された電気光学装置を実装したことを特徴とする電子機器。
　【請求項１６】
　走査線とデータ線との交差に対応して配置された複数の画素と、前記走査線に走査信号を出力することにより、表示階調を示すデータの書込対象となる画素に対応する前記走査線を選択する走査線駆動回路と、前記走査線駆動回路と協働し、前記書込対象となる画素に対応する前記データ線に表示階調に相当する大きさのデータ電流を出力するデータ線駆動回路とを有する電気光学装置の駆動方法において、
　前記書込対象となる画素に対応する前記データ線にデータ電流を出力する第１のステップと、
　前記書込対象となる前記画素が有するキャパシタに、前記データ線を介して供給されたデータ電流に応じた電荷を蓄積することにより、データの書き込みを行う第２のステップと、
　前記書込対象となる画素が有する駆動トランジスタによって、キャパシタに蓄積された電荷に応じた駆動電流を設定し、当該駆動電流を、駆動電流に応じた輝度で発光する電気光学素子に供給する第３のステップと、
　前記書込対象となる画素に対応する前記走査線が選択されてから、当該走査線が次に選択されるまでの期間において、前記走査信号に同期して前記駆動電流の電流経路の遮断を繰り返す第４のステップとを有することを特徴とする電気光学装置の駆動方法。
　【請求項１７】
　前記第２のステップにおいて、前記データ線に供給された前記データ電流が電圧に変換され、当該変換された電圧に応じて、前記キャパシタに対するデータの書き込みが行われることを特徴とする請求項１６に記載された電気光学装置の駆動方法。
　【請求項１８】
　走査線とデータ線との交差に対応して配置された複数の画素と、前記走査線に走査信号を出力することにより、表示階調を示すデータの書込対象となる画素に対応する前記走査線を選択する走査線駆動回路と、前記走査線駆動回路と協働し、前記書込対象となる画素に対応する前記データ線に表示階調に相当する大きさのデータ電圧を出力するデータ線駆動回路とを有する電気光学装置の駆動方法において、
　前記書込対象となる画素に対応する前記データ線にデータ電圧を出力する第１のステップと、
　前記書込対象となる前記画素が有するキャパシタに、前記データ線に供給された前記データ電圧に応じてデータの書き込みを行う第２のステップと、
　前記書込対象となる画素が有する駆動トランジスタによって、前記キャパシタに書き込まれたデータに応じた駆動電流を設定し、当該駆動電流を、駆動電流に応じた輝度で発光する電気光学素子に供給する第３のステップと、
　前記書込対象となる画素に対応する前記走査線が選択されてから、当該走査線が次に選択されるまでの期間において、前記走査信号に同期して前記駆動電流の電流経路の遮断を繰り返す第４のステップとを有することを特徴とする電気光学装置の駆動方法。」から、
　「【請求項１】
　電気光学装置において、
　複数の走査線と、
　複数のデータ線と、
　前記走査線と前記データ線との交差に対応して配置された複数の画素と、
　前記走査線に第１の走査信号を出力することにより、表示階調を示すデータの書込対象となる画素に対応する前記走査線を選択するとともに、前記第１の走査信号と同期した第２の走査信号と、前記第１の走査信号と同期したパルス信号とを出力する走査線駆動回路と、
　前記走査線駆動回路と協働し、前記書込対象となる画素に対応する前記データ線に表示階調に相当する大きさのデータ電圧を出力するデータ線駆動回路とを有し、
　前記画素のそれぞれは、
　ソースまたはドレインの一方の端子が前記データ線に接続され、前記第１の走査信号によって制御される第１のスイッチングトランジスタと、
　一方の電極が前記第１のスイッチングトランジスタの他方の端子に接続された第１のキャパシタと、
　一方の電極に電源電位が印加された第２のキャパシタと、
　ソースまたはドレインの一方の端子が前記第１のキャパシタの前記他方の電極と前記第２のキャパシタの前記他方の電極とに共通接続され、前記第２の走査信号によって制御される第２のスイッチングトランジスタと、
　ゲートが前記第２のスイッチングトランジスタの前記一方の端子と前記第１のキャパシタの前記他方の端子と前記第２のキャパシタの前記他方の端子とに共通接続され、ソースに前記第２のキャパシタの前記一方の電極が接続され、ドレインに前記第２のスイッチングトランジスタの他方の端子が接続され、前記データ電圧に応じた電荷を前記第２のキャパシタに蓄積させるとともに、前記第２のキャパシタに蓄積された電荷に応じて、駆動電流を設定する駆動トランジスタと、
　前記駆動電流に応じた輝度で発光する電気光学素子と、
　前記書込対象となる画素に対応する前記走査線が選択されてから、当該走査線が次に選択されるまでの期間において、前記第１のキャパシタと前記第２のキャパシタの容量結合を利用して前記駆動トランジスタのゲート・ソース間電圧を調整した後に、前記第１の走査信号と同期した前記パルス信号に応じて、前記駆動電流の電流経路の導通と遮断を繰り返す制御トランジスタと
を有することを特徴とする電気光学装置。
　【請求項２】
　（略）当該書込対象となる画素に供給する前記パルス信号を、高レベルと低レベルとが交互に繰り返されるパルス状にすることを特徴とする請求項１に記載された電気光学装置。
　【請求項３】
　（略）前記駆動電流の電流経路を遮断し続けることを特徴とする請求項１または２に記載された電気光学装置。
　【請求項４】
　前記駆動期間を除く期間をさらに複数の期間に分割し、分割された所定の期間において、前記駆動トランジスタのゲート・ソース間電圧を調整することを特徴とする請求項１または２に記載された電気光学装置。
　【請求項５】
　前記駆動期間を除く期間において、前記駆動トランジスタのゲート・ソース間電圧を調整した後に前記データの書き込みを開始することを特徴とする請求項４に記載された電気光学装置。
　【請求項６】
　前記駆動トランジスタのゲート・ソース間電圧の調整は前記第１のキャパシタと前記第２のキャパシタに蓄積された電荷の移動により行うことを特徴とする請求項５に記載された電気光学装置。
　【請求項７】
　請求項１乃至６のいずれかに記載された電気光学装置を実装したことを特徴とする電子機器。
　【請求項８】
　走査線とデータ線との交差に対応して配置された複数の画素と、前記走査線に走査信号を出力することにより、表示階調を示すデータの書込対象となる画素に対応する前記走査線を選択する走査線駆動回路と、前記走査線駆動回路と協働し、前記書込対象となる画素に対応する前記データ線に表示階調に相当する大きさのデータ電圧を出力するデータ線駆動回路とを有する電気光学装置の駆動方法において、
　前記書込対象となる画素に対応する前記データ線にデータ電圧を出力する第１のステップと、
　前記書込対象となる前記画素が有する第１のキャパシタと第２のキャパシタに、前記データ線に供給された前記データ電圧に応じてデータの書き込みを行う第２のステップと、
　前記書込対象となる画素が有する駆動トランジスタによって、前記第２のキャパシタに蓄積された電荷に応じた駆動電流を設定し、当該駆動電流を、駆動電流に応じた輝度で発光する電気光学素子に供給する第３のステップと、
　前記書込対象となる画素に対応する前記走査線が選択されてから、当該走査線が次に選択されるまでの期間において、前記走査信号に同期して前記駆動電流の電流経路の導通と遮断を繰り返す第４のステップ
とを有することを特徴とする電気光学装置の駆動方法。
　【請求項９】
　前記第２のステップが行われる前に、前記駆動トランジスタのゲート・ソース間電圧を調整する第５のステップをさらに有することを特徴とする請求項８に記載された電気光学装置の駆動方法。」に補正するものである。
　
［２］目的要件違反
１　本件補正前の請求項１ないし請求項１５に係る発明は「物」の発明であり、本件補正前の請求項１６ないし請求項１８に係る発明は「方法」の発明である。　一方、本件補正後の請求項１ないし請求項７に係る発明は「物」の発明であり、本件補正前の請求項８ないし請求項９に係る発明は「方法」の発明である。
　そして、審判請求に伴なう特許請求の範囲の補正において、発明のカテゴリーを変更する補正は認められない旨の判示が知的財産高等裁判所の判決においてされていることから〔平成１８年（行ケ）第１０４９４号、平成１９年９月２０日判決言渡〕、方法の発明が記載された補正後の請求項８及び請求項９は、補正前の請求項１６ないし請求項１８が補正されたものとして、その適否を検討する。
　
２　補正後の請求項８について、
（１）補正前の請求項１６が補正されたとした場合
　補正前後の請求項に記載した発明特定事項を比較すると、
ア　補正前の「キャパシタ」が「第１のキャパシタと第２のキャパシタ」と限定された。
イ　補正前の「前記データ線を介して供給されたデータ電流」が「前記データ線に供給された前記データ電圧」と補正されたが、この補正は、補正前に記載した発明特定事項を限定するものではないから、補正前の特許請求の範囲を減縮することを目的とするものではなく、また、請求項の削除、誤記の訂正、明りょうでない記載の釈明のいずれを目的とするものではない。
ウ　補正前の「キャパシタ」が「前記第２のキャパシタ」と限定された。
エ　したがって、この補正は、請求項の削除、特許請求の範囲の減縮、誤記の訂正、明りょうでない記載の釈明のいずれを目的とするものではない。
　
（２）補正前の請求項１７が補正されたとした場合
　補正前の「前記第２のステップにおいて、前記データ線に供給された前記データ電流が電圧に変換され、当該変換された電圧に応じて、前記キャパシタに対するデータの書き込みが行われること」なる発明特定事項を削除する補正であり、補正前に記載した発明特定事項を限定するものではないから、この補正は、補正前の特許請求の範囲を減縮することを目的とするものではなく、また、請求項の削除、誤記の訂正、明りょうでない記載の釈明のいずれを目的とするものではない。
　
（３）補正前の請求項１８が補正されたとした場合
ア　第２のステップに関して、データの書き込みを行なう対象を、補正前の「キャパシタ」が「第１のキャパシタと第２のキャパシタ」と限定された。
イ　第３のステップに関して、設定される駆動電流について、補正前の「前記キャパシタに書き込まれたデータに応じた駆動電流」が「前記第２のキャパシタに蓄積された電荷に応じた駆動電流」と限定された。
ウ　第４のステップに関して、補正前の「電流経路の遮断を繰り返す」を本来の意味である「電流経路の導通と遮断を繰り返す」と訂正された。
エ　したがって、この補正は、特許請求の範囲の減縮、及び誤記の訂正を目的とする補正に該当し、適法な補正である。
　
３　補正後の請求項９について、
　補正後の「前記第２のステップが行われる前に、前記駆動トランジスタのゲート・ソース間電圧を調整する第５のステップをさらに有すること」なる発明特定事項は、補正前の請求項１６ないし請求項１８に記載したいずれの発明特定事項と対応せず、補正前に記載した発明特定事項を限定するものではないから、平成１８年法律第５５号改正附則第３条第１項によりなお従前の例によるとされる同法による改正前の特許法第１７条の２第４項第２号に規定する特許請求の範囲を減縮することを目的とするものではない。また、この補正は、同第１号に規定する請求項の削除、同第３号に規定する誤記の訂正、同第４号に規定する明りょうでない記載の釈明のいずれを目的とするものでもない。
　
４　むすび
　以上のとおり、本件補正は、平成１８年法律第５５号改正附則第３条第１項によりなお従前の例によるとされる同法による改正前の特許法第１７条の２第４項の規定に違反するので、同法第１５９条第１項の規定において読み替えて準用する同法第５３条第１項の規定により却下すべきものである。
　
［３］独立特許要件違反
　本件補正が、特許請求の範囲の全体としてみて、特許請求の範囲の減縮、及び誤記の訂正を目的とした補正であるとした場合、本件補正後の特許請求の範囲の請求項８に係る発明が特許出願の際独立して特許を受けることができるものであるかについて検討する。
　
１　先願発明
　原査定の拒絶の理由に引用され、本願の出願の日前の他の特許出願であって当該特許出願後に出願公開された特願２００３−５２７７１６号（以下「他の特許出願」という。再公表特許２００３/０２３７５０号公報参照）の願書に最初に添付した明細書又は図面（以下「先願明細書」という。）には、「ＥＬ表示パネル、その駆動方法およびＥＬ表示装置」に関して、図面とともに以下の記載がある。
　
ア
「【発明の詳細な説明】
〔技術分野〕
本発明は、有機または無機エレクトロルミネッセンス（ＥＬ）素子を用いたＥＬ表示装置に関し、特に所望の電流をＥＬ素子に対して供給することができるＥＬ表示装置、その駆動方法およびそのＥＬ表示装置を備えた電子機器に関するものである。」（第５頁第１１〜１４行、記載個所は再公表特許公報の頁数による。以下同じ）
　
イ
「なお、本明細書では、ＥＬ素子に電流を供給（制御）するトランジスタを駆動用トランジスタと呼ぶ。また、第６２図におけるトランジスタ２１１ｂのように、スイッチとして動作するトランジスタをスイッチ用トランジスタと呼ぶ。」（第５頁下から９〜７行）
　
ウ
「〔発明を実施するための最良の形態〕
「以下、本発明の実施の形態について、図面を参照しながら説明する。
（略）
本発明のＥＬ表示装置の画素構造は、具体的には第１図に示すように、単位画素が４つのトランジスタ１１ならびにＥＬ素子により形成される。画素電極はソース信号線と重なるように構成する。つまり、ソース信号線１８上に絶縁膜あるいはアクリル材料からなる平坦化膜を形成して絶縁し、この絶縁膜上に画素電極１０５を形成する。このようにソース信号線１８上の少なくとも１部に画素電極を重ねる構成をハイアパーチャ（ＨＡ）構造と呼ぶ。不要な干渉光などが低減し、良好な発光状態が期待できる。
ゲート信号線（第１の走査線）１７ａに対してゲート信号を出力してアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ１４から流す。また、トランジスタ１１ａのゲートとドレイン間を短絡するように、ゲート信号線１７ａをアクティブ（ＯＮ電圧を印加）とすることによりトランジスタ１１ｂを開くと共に、トランジスタ１１ａのゲートとソース間に接続されたコンデンサ（キャパシタ、蓄積容量、付加容量）１９にトランジスタ１１ａのゲート電圧（あるいはドレイン電圧）を記憶する（第３図（ａ）を参照のこと）。」（第９頁第１６行〜第１２頁第１８行）
　
エ
「次に、本発明のＥＬ表示パネルおよびＥＬ表示装置について説明をする。第６図はＥＬ表示装置の回路を中心とした説明図である。画素１６がマトリックス状に配置または形成されている。各画素１６には各画素の電流プログラムを行う電流を出力するソースドライバ１４が接続されている。ソースドライバ１４の出力段は階調データである画像信号のビット数に対応したカレントミラー回路が形成されている（後に説明する）。たとえば、６４階調であれば、６３個のカレントミラー回路が各ソース信号線に形成され、これらのカレントミラー回路の個数を選択することにより所望の電流をソース信号線１８に印加できるように構成されている。」（第１６頁下から１１〜４行）
　
オ
「以下、第１図に示す画素構成について、その駆動方法について説明をする。第１図に示すように、ゲート信号線１７ａは行選択期間に導通状態（ここでは第１図のトランジスタ１１がｐチャネルトランジスタであるためローレベルで導通となる）となり、ゲート信号線１７ｂは非選択期間時に導通状態とする。
ソース信号線１８には寄生容量（図示せず）が存在する。寄生容量は、ソース信号線１８とゲート信号線１７とのクロス部の容量、トランジスタ１１ｂ、１１ｃのチャンネル容量などにより発生する。
ソース信号線１８の電流値変化に要する時間ｔは、寄生容量の大きさをＣ、ソース信号線１８の電圧をＶ、ソース信号線１８に流れる電流をＩとするとｔ＝Ｃ・Ｖ／Ｉである。そのため、電流値を１０倍大きくすることにより電流値変化に要する時間を１０分の１近くまで短くすることができる。またはソース信号線１８の寄生容量が１０倍になっても所定の電流値に変化させることができるということを示している。従って、短い水平走査期間内に所定の電流値を書きこむためには電流値を増加させることが有効である。
なお、ソース信号線１８の寄生容量の充放電を行うためには、Ｉ＞（Ｃ・Ｖ）／ｔの関係を満たす電流値Ｉをソース信号線１８に流せばよい。」（第２２頁第１０〜２４行）
　
カ
「ところで、入力電流を１０倍にすると出力電流も１０倍となる。しかし、この場合、ＥＬの輝度も１０倍となるため、所定の輝度を得ることができない。そこで、本発明では、第１図のトランジスタ１７ｄの導通期間を従来の１０分の１とし、ＥＬ素子１５の発光期間を１０分の１とすることで、所定の輝度を実現するようにした。
つまり、ソース信号線１８の寄生容量の充放電を十分に行い、所定の電流値を画素１６のトランジスタ１１ａにプログラムするためには、ソースドライバ１４から比較的大きな電流を出力する必要がある。しかし、このように大きな電流をソース信号線１８に流すとこの電流値が画素にプログラムされてしまい、所定の電流に対し大きな電流がＥＬ素子１５に流れる。たとえば、１０倍の電流でプログラムすれば、当然、１０倍の電流がＥＬ素子１５に流れ、ＥＬ素子１５は１０倍の輝度で発光する。所定の発光輝度にするためには、ＥＬ素子１５に流れる時間を１／１０にすればよい。このように駆動することにより、ソース信号線１８の寄生容量を十分に充放電できるし、所定の発光輝度を得ることができる。
なお、１０倍の電流値を画素のトランジスタ１１ａ（正確にはコンデンサ１９の端子電圧を設定している）に書き込み、ＥＬ素子１５のオン時間を１／１０にするとしたがこれは一例である。場合によっては、１０倍の電流値を画素のトランジスタ１１ａに書き込み、ＥＬ素子１５のオン時間を１／５にしてもよい。また、１０倍の電流値を画素のトランジスタ１１ａに書き込み、ＥＬ素子１５のオン時間を１／２倍にする場合もあるであろう。
本発明は、画素への書き込み電流を所定値以外の値にし、ＥＬ素子１５に流れる電流を間欠状態にして駆動することに特徴がある。本明細書では説明を容易にするため、所定の電流のＮ倍の電流を画素のトランジスタ１１に書き込み、ＥＬ素子１５のオン時間を１／Ｎ倍にするとして説明する。しかし、これに限定するものではなく、Ｎ１倍の電流を画素のトランジスタ１１に書き込み、ＥＬ素子１５のオン時間を１／（Ｎ２）倍（Ｎ１とＮ２とは異なる）でもよいことは言うまでもない。
ここで、前記所定の電流とは、画像信号が示す階調表示を実現するために必要となる電流である。この所定の電流の電流値は、ＥＬ表示装置の仕様などによって異なるが、例えば
輝度１５０ｎｔを実現する場合では０．２５〜０．７５μＡ程度である。したがって、Ｎ＝４の場合であれば、トランジスタ１１に書き込まれる電流値は１〜３μＡ程度となる。同様にして、Ｎ＝８の場合であれば前記電流値は２〜６μＡとなり、Ｎ＝２の場合であれば前記電流値は０．５〜１．５μＡとなる。」（第２２頁第２５行〜第２３頁第４行）
　
キ
「また、説明を容易にするため、１／Ｎとは、１Ｆ（１フィールドまたは１フレーム期間）を基準にしてこの１Ｆを１／Ｎにするとして説明する。しかし、１画素行が選択され、電流値がプログラムされる時間（通常、１水平走査期間（１Ｈ））があるし、また、走査状態によっては誤差も生じる。したがって、以上の説明はあくまでも説明を容易にするための便宜上の問題だけであり、これに限定するものではない。
たとえば、Ｎ＝１０倍の電流で画素１６に電流をプログラムし、１／５の期間の間、ＥＬ素子１５を点灯させてもよい。ＥＬ素子１５は、１０／５＝２倍の輝度で点灯する。逆に、Ｎ＝２倍の電流で画素１６に電流をプログラムし、１／４の期間の間、ＥＬ素子１５を点灯させてもよい。ＥＬ素子１５は、２／４＝０．５倍の輝度で点灯する。つまり、本発明は、Ｎ＝１倍でない電流でプログラムし、かつ、常時点灯（１／１、つまり、間欠駆動でない）状態以外の表示を実施するものである。また、広義には、ＥＬ素子１５に供給する電流を１フレーム（あるいは１フィールド）の期間において、少なくとも１回、オフにする駆動方式である。また、所定値よりも大きな電流を画素１６にプログラムし、少なくとも、間欠表示を実施する駆動方式である。」（第２３頁第１０〜２３行）
　
ク
「第１図、第２図、および第３８図などに示す本発明のＥＬ表示パネルの画素構成では、画像データはコンデンサ１９に保持されている。このコンデンサ１９の端子電圧に対応する電流をＥＬ素子１５に流す。したがって、画像データは液晶表示パネルのように光変調層に保持されているのではない。
本発明はスイッチングの（当審注：「スイッチング用の」の誤記と認められる。）トランジスタ１１ｄ、あるいはトランジスタ１１ｅなどをオンオフさせるだけでＥＬ素子１５に流す電流を制御する。つまり、ＥＬ素子１５に流れる電流Ｉｗをオフにしても、画像データはそのままコンデンサ１９に保持されている。したがって、次のタイミングでスイッチング素子１１ｄなどをオンさせ、ＥＬ素子１５に電流を流せば、その流れる電流は前に流れていた電流値と同一である。」（第２３頁下から８行〜第２４頁第１行）
　
ケ
「第１図の画素構成の場合、第３図（ａ）に示すように、電流プログラム時は、プログラム電流Ｉｗがソース信号線１８に流れる。この電流Ｉｗがトランジスタ１１ａを流れ、電流Ｉｗを流す電圧が保持されるように、コンデンサ１９に電圧設定（プログラム）される。このとき、トランジスタ１１ｄはオープン状態（オフ状態）である。
次に、ＥＬ素子１５に電流を流す期間は第３図（ｂ）のように、トランジスタ１１ｃ、１１ｂがオフし、トランジスタ１１ｄが動作する。つまり、ゲート信号線１７ａにオフ電圧（Ｖｇｈ）が印加され、トランジスタ１１ｂ、１１ｃがオフする。一方、ゲート信号線１７ｂにオン電圧（Ｖｇｌ）が印加され、トランジスタ１１ｄがオンする。
今、電流Ｉｗが本来流すべき電流（所定値）の１０倍であるとすると、第３図（ｂ）のＥＬ素子１５に流れる電流も所定値の１０倍となる。」（第２４頁第２３〜３２行）
　
コ
「そこで、トランジスタ１１ｄを本来オンする時間（約１Ｆ）の１／Ｎの期間だけオンさせ、他の期間（Ｎ−１）／Ｎ期間はオフさせれば、１Ｆ全体の平均輝度は所定の輝度となる。この表示状態は、ＣＲＴが電子銃で画面を走査しているのと近似する。異なる点は、画像を表示している範囲が画面全体の１／Ｎ（全画面を１とする）が点灯している点である（ＣＲＴでは、点灯している範囲は１画素行（厳密には１画素）である）。
本発明では、この１Ｆ／Ｎの画像表示領域５３が第１３図（ｂ）に示すように画面５０の上から下に移動する。本発明では、１Ｆ／Ｎの期間の間だけ、ＥＬ素子１５に電流が流れ、他の期間（１Ｆ・（Ｎ−１）／Ｎ）は電流が流れない。したがって、各画素は間欠表示となる。しかし、人間の目には残像により画像が保持された状態となるので、全画面が均一に表示されているように見える。」（第２４頁第３６〜４５行）
　
サ
「このタイミングチャートを第１４図に示す。なお、本発明などにおいて、特に断りがない時の画素構成は第１図に示したものである。第１４図でわかるように、各選択された画素行（選択期間は、１Ｈとしている）において、ゲート信号線１７ａにオン電圧（Ｖｇｌ）が印加されている時（第１４図（ａ）を参照）には、ゲート信号線１７ｂにはオフ電圧（Ｖｇｈ）が印加されている（第１４図（ｂ）を参照）。この期間は、ＥＬ素子１５には電流が流れていない（非点灯状態）。一方、選択されていない画素行においては、ゲート信号線１７ａにオフ電圧（Ｖｇｈ）が印加され、ゲート信号線１７ｂにはオン電圧（Ｖｇｌ）が印加されている。この期間は、ＥＬ素子１５に電流が流れている（点灯状態）。また、点灯状態では、ＥＬ素子１５は所定のＮ倍の輝度（Ｎ・Ｂ）で点灯し、その点灯期間は１Ｆ／Ｎである。したがって、１Ｆを平均した表示パネルの表示輝度は、（Ｎ・Ｂ）×（１／Ｎ）＝Ｂ（所定輝度）となる。
第１５図は、第１４図の動作を各画素行に適用した実施例である。ゲート信号線１７に印加する電圧波形を示している。電圧波形はオフ電圧をＶｇｈ（Ｈレベル）とし、オン電圧をＶｇｌ（Ｌレベル）としている。（１）、（２）などの添え字は選択している画素行の行番号を示している。
第１５図において、ゲート信号線１７ａ（１）が選択され（Ｖｇｌ電圧）、選択された画素行のトランジスタ１１ａからソースドライバ１４に向かってソース信号線１８にプログラム電流が流れる。このプログラム電流は所定値のＮ倍（説明を容易にするため、Ｎ＝１０として説明する。もちろん、所定値とは画像を表示するデータ電流であるから、白ラスター表示などでない限り固定値ではない。）である。したがって、コンデンサ１９には１０倍の電流がトランジスタ１１ａに流れるようにプログラムされる。画素行（１）が選択されている時は、第１図の画素構成ではゲート信号線１７ｂ（１）はオフ電圧（Ｖｇｈ）が印加され、ＥＬ素子１５には電流が流れない。
１Ｈ後には、ゲート信号線１７ａ（２）が選択され（Ｖｇｌ電圧）、選択された画素行のトランジスタ１１ａからソースドライバ１４に向かってソース信号線１８にプログラム電流が流れる。このプログラム電流は所定値のＮ倍（説明を容易にするため、Ｎ＝１０として説明する）である。したがって、コンデンサ１９には１０倍の電流がトランジスタ１１ａに流れるようにプログラムされる。画素行（２）が選択されている時は、第１図の画素構成ではゲート信号線１７ｂ（２）はオフ電圧（Ｖｇｈ）が印加され、ＥＬ素子１５には電流が流れない。しかし、先の画素行（１）のゲート信号線１７ａ（１）にはオフ電圧（Ｖｇｈ）が印加され、ゲート信号線１７ｂ（１）にはオン電圧（Ｖｇｌ）が印加されるため、点灯状態となっている。
次の１Ｈ後には、ゲート信号線１７ａ（３）が選択され、ゲート信号線１７ｂ（３）はオフ電圧（Ｖｇｈ）が印加され、画素行（３）のＥＬ素子１５には電流が流れない。しかし、先の画素行（１）（２）のゲート信号線１７ａ（１）（２）にはオフ電圧（Ｖｇｈ）が印加され、ゲート信号線１７ｂ（１）（２）にはオン電圧（Ｖｇｌ）が印加されるため、点灯状態となっている。
以上の動作を１Ｈの同期信号に同期して画像を表示していく。」（第２５頁第９行〜同頁下から５行）
　
シ
「第１３図（ａ）は表示画面５０への書き込み状態を図示している。第１３図（ａ）において、５１ａは書き込み画素行である。ソースドライバ１４から各ソース信号線１８にプログラム電流が供給される。なお、第１３図などでは１Ｈ期間に書き込む画素行は１行である。」（第２６頁第１８〜２１行）
　
ス
「なお、画像表示方向（画像書き込み方向）は、１フィールド（１フレーム）目では画面の上から下方向とし、つぎの第２フィールド（フレーム）目では画面の下から上方向としてもよい。」（第２８頁第２２〜２４行）
　
セ
「【図面の簡単な説明】
「【図１】本発明のＥＬ表示パネルの画素構成図である。
（略）
【図６】本発明のＥＬ表示装置の構成図である。）」（第６３頁第４〜１０行）
　
ソ
「以上の実施例は、電流プログラムの画素構成を中心として説明をしたが、本発明のリセット駆動は電圧プログラムの画素構成にも適用することができる。図４３は電圧プログラムの画素構成におけるリセット駆動を実施するための本発明の画素構成（パネル構成）の説明図である。
第４３図の画素構成では、駆動用トランジスタ１１ａをリセット動作させるためのトランジスタ１１ｅが形成されている。ゲート信号線１７ｅにオン電圧が印加されることにより、トランジスタ１１ｅがオンし、駆動用トランジスタ１１ａのゲート（Ｇ）端子とドレイン（Ｄ）端子との間をショートさせる。また、ＥＬ素子１５と駆動用トランジスタ１１ａとの電流経路を切断するトランジスタ１１ｄが形成されている。」（第４４頁第２６〜３４行）
　　
タ　
「なお、以上の実施例は電流プログラム方式の場合の画素構成であったが、本発明はこれに限定するものではなく、第３８図、第５０図のような他の電流方式の画素構成にも適用することができる。また、第５１図、第５４図、第６２図に図示するような電圧プログラムの画素構成でも適用することができる。
第５１図は一般的に最も簡単な電圧プログラムの画素構成を示している。トランジスタ１１ｂは選択スイッチング素子であり、トランジスタ１１ａはＥＬ素子１５に電流を供給する駆動用トランジスタである。この構成で、ＥＬ素子１５のアノードに逆バイアス電圧印加用のトランジスタ（スイッチング素子）１１ｇを配置（形成）している。
第５１図に示す画素構成では、ＥＬ素子１５に流す電流は、ソース信号線１８に供給され、トランジスタ１１ｂが選択されることにより、トランジスタ１１ａのゲート（Ｇ）端子に供給される。
まず、第５１図に示す構成を説明するために、基本動作について第５２図を用いて説明をする。第５１図に示す画素は電圧オフセットキャンセラと呼ばれる構成であり、初期化動作、リセット動作、プログラム動作、発光動作の４段階で動作する。」（第５５頁第８〜２１行）
　
チ
「水平同期信号（ＨＤ）後、初期化動作が実施される。ゲート信号線１７ｂにオン電圧が印加され、トランジスタ１１ｇがオンする。また、ゲート信号線１７ａにもオン電圧が印加され、トランジスタ１１ｃがオンする。このとき、ソース信号線１８にはＶｄｄ電圧が印加される。したがって、コンデンサ１９ｂの端子ａにはＶｄｄ電圧が印加されることになる。この状態で、駆動用トランジスタ１１ａはオンし、ＥＬ素子１５に僅かな電流が流れる。この電流により駆動用トランジスタ１１ａのドレイン（Ｄ）端子は少なくともトランジスタ１１ａの動作点よりも大きな絶対値の電圧値となる。」（第５５頁第２２〜２８行）
　
ツ
「 次にリセット動作が実施される。ゲート信号線１７ｂにオフ電圧が印加され、トランジスタ１１ｅがオフする。一方、ゲート信号線１７ｃにＴ１の期間、オン電圧が印加され、トランジスタ１１ｂがオンする。このＴ１の期間がリセット期間である。また、ゲート信号線１７ａには１Ｈの期間、継続してオン電圧が印加される。なお、Ｔ１は１Ｈ期間の２０％以上９０％以下の期間とすることが好ましい。もしくは、２０μｓｅｃ以上１６０μｓｅｃ以下の時間とすることが好ましい。また、コンデンサ１９ｂ（Ｃｂ）とコンデンサ１９ａ（Ｃａ）の容量の比率は、Ｃｂ：Ｃａ＝６：１以上１：２以下とすることが好ましい。
リセット期間では、トランジスタ１１ｂのオンにより、駆動用トランジスタ１１ａのゲート（Ｇ）端子とドレイン（Ｄ）端子との間がショートされる。したがって、トランジスタ１１ａのゲート（Ｇ）端子電圧とドレイン（Ｄ）端子電圧とが等しくなり、トランジスタ１１ａはオフセット状態（リセット状態：電流が流れない状態）となる。このリセット状態とはトランジスタ１１ａのゲート（Ｇ）端子が、電流を流し始める開始電圧近傍になる状態である。このリセット状態を維持するゲート電圧はコンデンサ１９ｂの端子ｂに保持される。したがって、コンデンサ１９には、オフセット電圧（リセット電圧）が保持されていることになる。」（第５５頁第２９〜４４行）
　
テ
「次のプログラム状態（当審注：「プログラム期間」の誤記と認める。）では、ゲート信号線１７ｃにオフ電圧が印加されトランジスタ１１ｂがオフする。一方、ソース信号線１８には、Ｔｄの期間、ＤＡＴＡ電圧が印加される。したがって、駆動用トランジスタ１１ａのゲート（Ｇ）端子には、ＤＡＴＡ電圧＋オフセット電圧（リセット電圧）が加えられたものが印加される。そのため、駆動用トランジスタ１１ａはプログラムされた電流を流せるようになる。」（第５５頁第４５〜４９行）
　
ト
「プログラム期間後、ゲート信号線１７ａにはオフ電圧が印加され、トランジスタ１１ｃはオフ状態となり、駆動用トランジスタ１１ａはソース信号線１８から切り離される。また、ゲート信号線１７ｃにもオフ電圧が印加され、トランジスタ１１ｂはオフ状態となり、このオフ状態は１Ｆの期間保持される。一方、ゲート信号線１７ｂには、必要に応じてオン電圧とオフ電圧とが周期的に印加される。つまり、第１３図、第１５図などに示すＮ倍パルス駆動などと組み合わせること、インターレース駆動と組み合わせることによりさらに良好な画像表示を実現できる。」（第５５頁第５０行〜第５６頁第６行）
　
ナ
「第５２図に示す駆動方式では、コンデンサ１９には、リセット状態で、トランジスタ１１ａの開始電流電圧（オフセット電圧、リセット電圧）が保持される。そのため、このリセット電圧がトランジスタ１１ａのゲート（Ｇ）端子に印加されているときが、最も暗い黒表示状態である。しかし、ソース信号線１８と画素１６とのカップリング、コンデンサ１９への突き抜け電圧あるいはトランジスタの突き抜けにより、黒浮き（コントラスト低下）が発生する。したがって、第５２図に示す駆動方式では、表示コントラストを高くすることができない。
逆バイアス電圧ＶｍをＥＬ素子１５に印加するためには、トランジスタ１１ａをオフさせる必要がある。トランジスタ１１ａをオフさせるためには、トランジスタ１１ａのＶｄｄ端子とゲート（Ｇ）端子との間をショートすればよい。この構成については、後に図５３を用いて説明をする。
また、ソース信号線１８にＶｄｄ電圧またはトランジスタ１１ａをオフさせる電圧を印加し、トランジスタ１１ｂをオンさせてトランジスタ１１ａのゲート（Ｇ）端子に印加させてもよい。この電圧によりトランジスタ１１ａがオフする（もしくは、ほとんど、電流が流れないような状態にする（略オフ状態：トランジスタ１１ａが高インピーダンス状態））。その後、トランジスタ１１ｇをオンさせて、ＥＬ素子１５に逆バイアス電圧を印加する。この逆バイアス電圧Ｖｍの印加は、全画素同時に行ってもよい。つまり、ソース信号線１８にトランジスタ１１ａを略オフする電圧を印加し、すべての（複数の）画素行のトランジスタ１１ｂをオンさせる。したがって、トランジスタ１１ａがオフとなる。その後、トランジスタ１１ｇをオンさせて、逆バイアス電圧をＥＬ素子１５に印加する。その後、順次、各画素行に画像信号を印加し、表示装置に画像を表示する。」（第５６頁第７〜２７行）
　
ニ
「次に、第５１図に示す画素構成におけるリセット駆動について説明をする。第５３図はその実施例を示している。図５３に示すように画素１６ａのトランジスタ１１ｃのゲート（Ｇ）端子に接続されたゲート信号線１７ａは次段画素１６ｂのリセット用トランジスタ１１ｂのゲート（Ｇ）端子にも接続されている。同様に、画素１６ｂのトランジスタ１１ｃのゲート（Ｇ）端子に接続されたゲート信号線１７ａは次段画素１６ｃのリセット用トランジスタ１１ｂのゲート（Ｇ）端子に接続されている。
したがって、画素１６ａのトランジスタ１１ｃのゲート（Ｇ）端子に接続されたゲート信号線１７ａにオン電圧を印加すると、画素１６ａが電圧プログラム状態となるとともに、次段画素１６ｂのリセット用トランジスタ１１ｂがオンし、画素１６ｂの駆動用トランジスタ１１ａがリセット状態となる。同様に、画素１６ｂのトランジスタ１１ｃのゲート（Ｇ）端子に接続されたゲート信号線１７ａにオン電圧を印加すると、画素１６ｂが電流プログラム状態となるとともに、次段画素１６ｃのリセット用トランジスタ１１ｂがオンし、画素１６ｃの駆動用トランジスタ１１ａがリセット状態となる。したがって、容易に前段ゲート制御方式によるリセット駆動を実現できる。また、各画素あたりのゲート信号線の引き出し本数を減少させることができる。」（第５６頁第２８〜４２行）
　
ヌ
「さらに詳しく説明する。第５３図（ａ）に示すようにゲート信号線１７に電圧が印加されているとする。つまり、画素１６ａのゲート信号線１７ａにオン電圧が印加され、他の画素１６のゲート信号線１７ａにオフ電圧が印加されているとする。また、画素１６ａ、１６ｂのゲート信号線１７ｂにはオフ電圧が印加され、画素１６ｃ、１６ｄのゲート信号線１７ｂにはオン電圧が印加されているとする。
この状態では、画素１６ａは電圧プログラム状態で非点灯、画素１６ｂはリセット状態で非点灯、画素１６ｃはプログラム電流の保持状態で点灯、画素１６ｄはプログラム電流の保持状態で点灯状態である。
１Ｈ後、制御用ゲートドライバ１２のシフトレジスタ回路６１内のデータが１ビットシフトし、第５３図（ｂ）に示す状態となる。第５３図（ｂ）に示す状態では、画素１６ａがプログラム電流保持状態で点灯、画素１６ｂが電流プログラム状態で非点灯、画素１６ｃがリセット状態で非点灯、画素１６ｄがプログラム保持状態で点灯状態となる。
以上のことから、各画素は前段に印加されたゲート信号線１７ａの電圧により、次段の画素の駆動用トランジスタ１１ａがリセットされ、次の水平走査期間に電圧プログラムが順次行われることがわかる。」（第５６頁第４３行〜第５７頁第７行）
　　　
ネ
「第４３図に図示する電圧プログラムの画素構成でも前段ゲート制御を実現できる。第５４図は、第４３図の画素構成を前段ゲート制御方式の接続とした実施例を示している。
第５４図に示すように画素１６ａのトランジスタ１１ｂのゲート（Ｇ）端子に接続されたゲート信号線１７ａは次段画素１６ｂのリセット用トランジスタ１１ｅのゲート（Ｇ）端子に接続されている。同様に、画素１６ｂのトランジスタ１１ｂのゲート（Ｇ）端子に接続されたゲート信号線１７ａは、次段画素１６ｃのリセット用トランジスタ１１ｅのゲート（Ｇ）端子に接続されている。
（略）
さらに詳しく説明する。第５５図（ａ）に示すようにゲート信号線１７に電圧が印加されているとする。つまり、画素１６ａのゲート信号線１７ａにオン電圧が印加され、他の画素１６のゲート信号線１７ａにオフ電圧が印加されているとする。また、すべての逆バイアス用トランジスタ１１ｇはオフ状態であるとする。
この状態では、画素１６ａは電圧プログラム状態、画素１６ｂはリセット状態、画素１６ｃはプログラム電流の保持状態、画素１６ｄはプログラム電流の保持状態である。
１Ｈ後、制御用ゲートドライバ１２のシフトレジスタ回路６１内のデータが１ビットシフトし、第５５図（ｂ）に示す状態となる。第５５図（ｂ）に示す状態では、画素１６ａがプログラム電流保持状態、画素１６ｂが電流プログラム状態、画素１６ｃがリセット状態、画素１６ｄがプログラム保持状態となる。
以上のことから、各画素は前段に印加されたゲート信号線１７ａの電圧により、次段の画素の駆動用トランジスタ１１ａがリセットされ、次の水平走査期間に電圧プログラムが順次行われることがわかる。
電流駆動方式において、完全な黒表示を行う場合、画素の駆動用トランジスタ１１にプログラムされる電流は０である。つまり、ソースドライバ１４からは電流が流れない。電流が流れなければ、ソース信号線１８に発生した寄生容量を充放電することができず、ソース信号線１８の電位を変化させることができない。したがって、駆動用トランジスタのゲート電位も変化しないことになり、１フレーム（フィールド）（１Ｆ）前の電位がコンデンサ１９に蓄積されたままとなる。たとえば、１フレーム前が白表示で、次のフレームが完全黒表示であっても白表示が維持されることになる。この課題を解決するため、本発明では、１水平走査期間（１Ｈ）の最初に黒レベルの電圧をソース信号線１８に書き込んでから、ソース信号線１８にプログラムする電流を出力する。たとえば、映像データが黒レベルに近い０階調目〜７階調目の場合、１水平期間のはじめの一定期間だけ黒レベルに相当する電圧が書き込まれて、電流駆動の負担が減り、書き込み不足を補うことが可能となる。ここで例えば６４階調表示の場合であれば、完全な黒表示を０階調目とし、完全な白表示を６３階調目とする。」（第５７頁第８行〜同頁下から３行目）
　
（１）
　記載アから、ＥＬ表示装置の駆動方法、が読みとれる。
　　
（２）駆動方法の対象となるＥＬ表示装置について
記載ソに記載された電流プログラム方式の代表的な画素構成が、第１図に示され、同じく記載タに、第５１図に図示する電圧プログラムの画素構成でも適用することができる旨の記載がされており、これらの記載と第１、５１、６図から、
　ＥＬ表示装置が、複数のゲート信号線１７と、複数のソース信号線１８と、複数の画素１６と、ゲートドライバ１２と、ソースドライバ１４とを有すること、が読みとれる。
　
(３）上記画素について、
　第１、５１図から、画素１６がゲート信号線１７とソース信号線１８との交差に対応して配置されていること、すなわち、
ア　ゲート信号線１７とソース信号線１８との交差に対応して配置された複数の画素１６、が読みとれる。
イ　前記記載ク、タ、ニ及び第１、５１図から、
　画素１６がＥＬ素子１５、コンデンサ１９ａ、１９ｂ、駆動用のトランジスタ１１ａ、スイッチング用のトランジスタ１１ｂ，１１ｅ、１１ｇを有すること、が読みとれる。
　　
（４）上記ゲートドライバ１２について、
　
ア　記載ソに記載された電流プログラム方式の代表的な画素構成が、第１図に示され、同じく記載ソに、第５１図に図示する電圧プログラムの画素構成でも適用することができる旨の記載がされている。
（ア）　これらの記載と、第１、５１図から、　ゲート信号線１７に対してゲート信号を出力するゲートドライバ１２、が読みとれる。
（イ）　これらの記載と前記記載オから、ゲート信号線１７が行選択期間に導通状態とする手段は、ゲートドライバ１２、であることは明らかである。
　
イ　したがって、ゲート信号線１７に対してゲート信号を出力して、ゲート信号線１７を行選択期間に導通状態とするゲートドライバ１２、が読みとれる。
　
（５）上記ソースドライバ１４について、
　
ア　記載ソに記載された電流プログラム方式の代表的な画素構成が、第１図に示され、同じく記載ソに、第５１図に図示する電圧プログラムの画素構成でも適用することができる旨の記載がされている。
イ　第５１図に示された電圧プログラムの画素構成に関連して、
（ア）記載タに、「ＥＬ素子１５に流す電流は、ソース信号線１８に供給され」と記載されており、ＥＬ素子１５に流す電流をソース信号線１８に供給する主体は、ソースドライバ１４であることは明らかである。
（イ）記載テには、「ソース信号線１８には、Ｔｄの期間、ＤＡＴＡ電圧が印加される。」と記載されている。また、記載トには、「Ｎ倍パルス駆動などと組み合わせること、インターレース駆動と組み合わせることによりさらに良好な画像表示を実現できる。」と記載されている。
　してみると、記載テに記載されたソース信号線１８に印加される「ＤＡＴＡ電圧」は、画像表示を実現するための電圧であることは明らかである。
（ウ）記載タに「第５１図に示す構成を説明するために、基本動作について第５２図を用いて説明をする。第５１図に示す画素は電圧オフセットキャンセラと呼ばれる構成であり、初期化動作、リセット動作、プログラム動作、発光動作の４段階で動作する。」と記載されている。
　
　そして、「初期化動作」は、「ゲート信号線１７ｂにオン電圧が印加される」ことによって実施され（記載チ）、「リセット動作」は、「ゲート信号線１７ｂにオフ電圧が印加される」ことによって実施され（記載ツ）、「プログラム動作」は、「ゲート信号線１７ｃにオフ電圧が印加される」ことによって実施され（記載テ）、「発光動作」は、「ゲート信号線１７ａにはオフ電圧が印加される」ことによって実施され（記載ト）、　また、上記「（４）上記ゲートドライバ１２について、」の項で述べたように、ゲート信号線１７に対してゲート信号を出力するゲートドライバ１２、が読みとれる。
　
　してみると、ソースドライバ１４はゲートドライバ１２の動作に伴なって動作する回路であるといえる。
　
ウ　よって、ゲートドライバ１２の動作に伴なって動作し、ソース信号線１８に画像表示を実現するためのＤＡＴＡ電圧を印加するソースドライバ１４、が読みとれる。
　
（６）
　以上（１）ないし（５）をまとめると、先願明細書の記載から、
ゲート信号線１７とソース信号線１８との交差に対応して配置された複数の画素１６と、ゲート信号線１７に対してゲート信号を出力して、ゲート信号線１７を行選択期間に導通状態とするゲートドライバ１２と、ゲートドライバ１２の動作に伴なって動作し、ソース信号線１８に画像表示を実現するためのＤＡＴＡ電圧を印加するソースドライバ１４とを有するＥＬ表示装置の駆動方法、が読みとれる。
　
（７）第５１図に記載された電圧プログラムの画素におけるプログラム動作について
　記載タ、記載ツ、記載テから、プログラム期間は、ソース信号線１８にＤＡＴＡ電圧を印加する段階、駆動用トランジスタ１１ａのゲート（Ｇ）端子に、ＤＡＴＡ電圧＋オフセット電圧（リセット電圧）を加えられたものを印加する段階、駆動用トランジスタ１１ａがプログラムされた電流をEL素子に流せるようになる段階を有すること、が読みとれる。
　　
（８）第５１図に記載された電圧プログラムの画素における発光動作について
　記載トの「ゲート信号線１７ｂには、必要に応じてオン電圧とオフ電圧とが周期的に印加される。」との記載、及び上記画素の基本動作を説明する第５２図の記載からみて、トランジスタ１１ｅのゲートに接続されたゲート信号線１７ｂには、プログラム期間後、１水平走査期間毎にオン電圧（Vｇｌ）、オフ電圧（Vｇｈ）が周期的に印加されること、が読みとれる。
　そして、第５１図の画素と第４３図の画素とを比較してみると、第５１図に記載されたトランジスタ１１ｅは、第１図、第４３図に記載されたトランジスタ１１ｄと同じく、ゲート信号線１７ｂのオフ電圧により、ＥＬ素子１５と駆動用トランジスタ１１ａとの電流経路を切断する機能を有すること（記載コ、記載ソ）は明らかである。
　したがって、プログラム期間後、１水平走査期間毎に、ゲート信号線１７に周期的に印加されるオン電圧（Vｇｌ）、オフ電圧（Vｇｈ）により、ＥＬ素子１５と駆動用トランジスタ１１ａとの電流経路の導通と切断を周期的に行なう段階を有すること、が読みとれる。
　　
（９）
　以上の記載アないし記載ネ及び図面の記載を勘案すると、先願明細書には次の発明が記載されているものと認められる。
「ゲート信号線１７とソース信号線１８との交差に対応して配置された複数の画素１６と、ゲート信号線１７に対してゲート信号を出力して、ゲート信号線１７を行選択期間に導通状態とするゲートドライバ１２と、ゲートドライバ１２の動作に伴なって動作し、ソース信号線１８に画像表示を実現するためのＤＡＴＡ電圧を印加するソースドライバ１４とを有するＥＬ表示装置の駆動方法において、
　ソース信号線１８にＤＡＴＡ電圧を印加する段階と、
駆動用トランジスタ１１ａのゲート（Ｇ）端子に、ＤＡＴＡ電圧＋オフセット電圧（リセット電圧）を加えられたものを印加する段階と、
駆動用トランジスタ１１ａがプログラムされた電流をEL素子に流せるようになる段階と、
１水平走査期間毎に、ゲート信号線１７に周期的に印加されるオン電圧（Vｇｌ）、オフ電圧（Vｇｈ）により、ＥＬ素子１５と駆動用トランジスタ１１ａとの電流経路の導通と切断を周期的に行なう段階
とを有するＥＬ表示装置の駆動方法。」（以下「先願発明Ａ」という）。
　
２　対比
本願補正発明と先願発明Ａとを比較する。
［２−１］　
（１）先願発明Ａの対象である「ＥＬ表示装置の駆動方法」は、本願補正発明の対象である「電気光学装置の駆動方法」に相当する。
（２）以下同様に、先願発明Ａの「ゲート信号線１７」は「走査線」に、「ソース信号線１８」は「データ線」に、「画素１６」は「画素」に、「ゲートドライバ１２」は「走査線駆動回路」に、「ソースドライバ１４」は「データ線駆動回路」に、「ＥＬ素子１５」は「電気光学素子」に、「駆動用のトランジスタ１１ａ」は「駆動トランジスタ」に、相当する。
　
［２−２］　先願発明Ａの「画素１６」の配置について
　　
　先願発明Ａの「ゲート信号線１７とソース信号線１８との交差に対応して配置された」は、本願補正発明の「走査線とデータ線との交差に対応して配置された」に相当する。
　したがって、先願発明Ａの「ゲート信号線１７とソース信号線１８との交差に対応して配置された複数の画素１６」は、本願補正発明の「走査線とデータ線との交差に対応して配置された複数の画素」に相当する。
　
［２−３］　先願発明Ａの「ゲートドライバ１２」の機能について
　　
（１）先願発明Ａの「ゲート信号を出力して」は、本願補正発明の「走査信号を出力することにより」に相当する。
また、先願発明Ａの「前記ゲート信号線１７を行選択期間に導通状態とする」は、本願補正発明の「前記走査線を選択する」に相当する。
（２）そして、先願明細書の第１１頁第２７〜２８行には、「有機ＥＬ表示パネルに用いられるアクティブマトリックス方式は、（１）特定の画素を選択し、必要な表示情報を与えられること」が記載されていることから、先願発明Ａの、行選択期間に導通状態とされる「前記ゲート信号線１７」は、上記必要な表示情報、すなわち本願補正発明でいう、データの書込対象となる画素に対応する、ゲート信号線１７であることは明らかである。
　また、選択された特定の画素に与えられる上記「必要な表示情報」は、［２−４］項で後述する「画像表示を実現するためのＤＡＴＡ電圧」の画像表示と同様に、本願補正発明でいう「表示階調」を示すものである。
（３）したがって、先願発明Ａの「前記ゲート信号線１７に対してゲート信号を出力して、前記ゲート信号線１７を行選択期間に導通状態とするゲートドライバ１２」は、本願補正発明の「前記走査線に走査信号を出力することにより、表示階調を示すデータの書込対象となる画素に対応する前記走査線を選択する走査線駆動回路」に相当する。
　
［２−４］　先願発明Ａの「ソースドライバ１４」の機能について
　　
（１）先願発明Ａの「前記ゲートドライバ１２の動作に伴なって動作し」は、本願補正発明の「前記走査線駆動回路と協働し」に相当する。
（２）先願明細書の第１１頁第２７〜２８行には、「有機ＥＬ表示パネルに用いられるアクティブマトリックス方式は、（１）特定の画素を選択し、必要な表示情報を与えられること」が記載されていることから、先願発明Ａの、画像表示を実現するためのＤＡＴＡ電圧を印加される「ソース信号線１８」は、本願補正発明でいう「書込対象となる画素に対応する」ものであることは明らかである。
（３）先願発明Ａの「前記ソース信号線１８」、「画像表示を実現するためのＤＡＴＡ電圧」は、本願補正発明の「前記データ線」、「表示階調に相当する大きさのデータ電圧」に相当する。
（４）そして、記載ネの記載から、第４３図に図示する電圧プログラムの画素構成において、６４階調の映像データを対象としているから、同じ電圧プログラムの画素構成を有する先願発明Ａにおいても「画像表示を実現するためのＤＡＴＡ電圧」の画像表示が、所定の階調数の画像表示、すなわち本願補正発明でいう「表示階調」であることは明らかである。
（５）先願発明Ａの「画像表示を実現するためのＤＡＴＡ電圧」は、本願補正発明の「表示階調に相当する大きさのデータ電圧」に相当する。
（６）したがって、先願発明Ａの「ゲートドライバ１２の動作に伴なって動作し、ソース信号線１８に画像表示を実現するためのＤＡＴＡ電圧を印加するソースドライバ１４」は、本願補正発明の「前記走査線駆動回路と協働し、前記書込対象となる画素に対応する前記データ線に表示階調に相当する大きさのデータ電圧を出力するデータ線駆動回路」に相当する。
　
［２−５］　［２−１］ないし［２−４］をまとめると、
先願発明Ａの
「ゲート信号線１７とソース信号線１８との交差に対応して配置された複数の画素１６と、ゲート信号線１７に対してゲート信号を出力して、ゲート信号線１７を行選択期間に導通状態とするゲートドライバ１２と、ゲートドライバ１２の動作に伴なって動作し、ソース信号線１８に画像表示を実現するためのＤＡＴＡ電圧を印加するソースドライバ１４とを有するＥＬ表示装置の駆動方法において」は、
本願補正発明の
「走査線とデータ線との交差に対応して配置された複数の画素と、前記走査線に走査信号を出力することにより、表示階調を示すデータの書込対象となる画素に対応する前記走査線を選択する走査線駆動回路と、前記走査線駆動回路と協働し、前記書込対象となる画素に対応する前記データ線に表示階調に相当する大きさのデータ電圧を出力するデータ線駆動回路とを有する電気光学装置の駆動方法において」に相当し、この点において両者に相違はない。
　
［２−６］　先願発明Ａの「ソース信号線１８にＤＡＴＡ電圧を印加する段階」について
　
　先願発明Ａの「ソース信号線１８」、「ＤＡＴＡ電圧」、「印加する」、「段階」は、本願補正発明の「前記書込対象となる画素に対応する前記データ線」、「データ電圧」、「出力する」、「第１のステップ」に相当する。
　したがって、先願発明Ａの「ソース信号線１８にＤＡＴＡ電圧を印加する段階」は、本願補正発明の「前記書込対象となる画素に対応する前記データ線にデータ電圧を出力する第１のステップ」に相当する。
　
［２−７］　先願発明Ａの「駆動用トランジスタ１１ａのゲート（Ｇ）端子に、ＤＡＴＡ電圧＋オフセット電圧（リセット電圧）を加えられたものを印加する段階」について
　
（１）上記段階の前に、ソース信号線１８にＤＡＴＡ電圧を印加する段階があるから、上記段階の「ＤＡＴＡ電圧」はソース信号線１８に印加されたＤＡＴＡ電圧である。
　そして、先願発明Ａの「駆動用トランジスタ１１ａのゲート（Ｇ）端子に、ＤＡＴＡ電圧＋オフセット電圧（リセット電圧）を加えられたものを印加する」ことは、先願明細書の第５１図において、コンデンサ１９ａ、１９ｂの接続点にＤＡＴＡ電圧＋オフセット電圧（リセット電圧）を加えられた電圧が印加されるとともに、コンデンサ１９ａの他端にはＶｄｄ、コンデンサ１９ｂの他端にはＤＡＴＡ電圧が印加されることに他ならないから、その結果、上記両コンデンサ１９ａ、コンデンサ１９ｂには、ＤＡＴＡ電圧に応じたＤＡＴＡが書き込まれることになる。
　なお、上記コンデンサ１９ａ、コンデンサ１９ｂは、本願補正発明の「第２のキャパシタ」、「第１のキャパシタ」に相当する。
（２）しかも、先願発明Aの画素が記載された先願明細書の第５１図と、本願補正発明の実施例が記載された本願の図１４とを比較すると、先願明細書の第５１図のトランジスタ（１１ｃ、１１ａ、１１ｂ）、コンデンサ（１９ａ、１９ｂ）は、本願の図１４のトランジスタ（Ｔ１、Ｔ４、Ｔ２）、コンデンサ（ｃ２、ｃ１）に相当し、コンデンサとトランジスタとの接続関係は同一である。
（３）してみると、先願発明Ａの「駆動用トランジスタ１１ａのゲート（Ｇ）端子に、ＤＡＴＡ電圧＋オフセット電圧（リセット電圧）を加えられたものを印加する段階」は、本願補正発明の「前記書込対象となる前記画素が有する第１のキャパシタと第２のキャパシタに、前記データ線に供給された前記データ電圧に応じてデータの書き込みを行う第２のステップ」に相当する。
　　
［２−８］　先願発明Ａの「駆動用トランジスタ１１ａがプログラムされた電流をEL素子に流せるようになる段階」について
　
（１）［２−７］　項で述べたように、先願発明Ａの「駆動用トランジスタ１１ａのゲート（Ｇ）端子に、ＤＡＴＡ電圧＋オフセット電圧（リセット電圧）を加えられたものを印加する」ことは、その結果、上記両コンデンサ１９ａ、コンデンサ１９ｂには、ＤＡＴＡ電圧に応じたＤＡＴＡが書き込まれることになる。
（２）そして、記載タの「第５１図は一般的に最も簡単な電圧プログラムの画素構成を示している。・・・トランジスタ１１ａはＥＬ素子１５に電流を供給する駆動用トランジスタである。」との記載、及び第５１図におけるトランジスタ１１ａ、コンデンサ１９ａ、ＥＬ素子１５との接続関係からみて、以下のことがいえる。
　トランジスタ１１ａによって、コンデンサ１９ａ（第２のキャパシタ）に蓄積された電荷に応じた電流（駆動電流）をＥＬ素子１５に電流を供給すること。
　なお、一般に、EL素子は、入力される電流（駆動電流）に応じた輝度で発光する電気光学素子であるといえ、また、先願発明Ａの「駆動用トランジスタ１１ａ」は、本願補正発明の「書込対象となる画素が有する駆動トランジスタ」に相当することは明らかである。
（３）したがって、先願発明Ａの「駆動用トランジスタ１１ａがプログラムされた電流をEL素子に流せるようになる段階」は、本願補正発明の「前記書込対象となる画素が有する駆動トランジスタによって、前記第２のキャパシタに蓄積された電荷に応じた駆動電流を設定し、当該駆動電流を、駆動電流に応じた輝度で発光する電気光学素子に供給する第３のステップ」に相当する。
　
［２−９］先願発明Ａの「１水平走査期間毎に、ゲート信号線１７に周期的に印加されるオン電圧（Vｇｌ）、オフ電圧（Vｇｈ）により、ＥＬ素子１５と駆動用トランジスタ１１ａとの電流経路の導通と切断を周期的に行なう段階」について
　　
（１）先願発明Ａの上記「段階」において「電流経路の導通と切断を周期的に行なう」のは、当該ゲート信号線が選択されてから次に当該信号線が選択されるまでの期間においてであるから、先願発明Ａの上記「段階」の時期は、本願補正発明の「前記書込対象となる画素に対応する前記走査線が選択されてから、当該走査線が次に選択されるまでの期間において」に相当する。
　また、先願発明Ａの「１水平走査期間毎に」は、本願補正発明の「「走査信号に同期して」に相当する。
（２）したがって、先願発明Ａの「１水平走査期間毎に、ゲート信号線１７に周期的に印加されるオン電圧（Vｇｌ）、オフ電圧（Vｇｈ）により、ＥＬ素子１５と駆動用トランジスタ１１ａとの電流経路の導通と切断を周期的に行なう段階」は、本願補正発明の「前記書込対象となる画素に対応する前記走査線が選択されてから、当該走査線が次に選択されるまでの期間において、前記走査信号に同期して前記駆動電流の電流経路の導通と遮断を繰り返す第４のステップ」に相当する。
　　
［２−１０］　［２−６］ないし［２−９］をまとめると、
先願発明Ａの
「ソース信号線１８にＤＡＴＡ電圧を印加する段階と、
駆動用トランジスタ１１ａのゲート（Ｇ）端子に、ＤＡＴＡ電圧＋オフセット電圧（リセット電圧）を加えられたものを印加する段階と、
駆動用トランジスタ１１ａがプログラムされた電流をEL素子に流せるようになる段階と、
１水平走査期間毎に、ゲート信号線１７に周期的に印加されるオン電圧（Vｇｌ）、オフ電圧（Vｇｈ）により、ＥＬ素子１５と駆動用トランジスタ１１ａとの電流経路の導通と切断を周期的に行なう段階
とを有する」は、
本願補正発明の
「前記書込対象となる画素に対応する前記データ線にデータ電圧を出力する第１のステップと、
　前記書込対象となる前記画素が有する第１のキャパシタと第２のキャパシタに、前記データ線に供給された前記データ電圧に応じてデータの書き込みを行う第２のステップと、
　前記書込対象となる画素が有する駆動トランジスタによって、前記第２のキャパシタに蓄積された電荷に応じた駆動電流を設定し、当該駆動電流を、駆動電流に応じた輝度で発光する電気光学素子に供給する第３のステップと、
　前記書込対象となる画素に対応する前記走査線が選択されてから、当該走査線が次に選択されるまでの期間において、前記走査信号に同期して前記駆動電流の電流経路の導通と遮断を繰り返す第４のステップ
とを有する」に相当する。
　
［２−１１］
　以上から、
先願発明Ａである
「ゲート信号線１７とソース信号線１８との交差に対応して配置された複数の画素１６と、ゲート信号線１７に対してゲート信号を出力して、ゲート信号線１７を行選択期間に導通状態とするゲートドライバ１２と、ゲートドライバ１２の動作に伴なって動作し、ソース信号線１８に画像表示を実現するためのＤＡＴＡ電圧を印加するソースドライバ１４とを有するＥＬ表示装置の駆動方法において、
　ソース信号線１８にＤＡＴＡ電圧を印加する段階と、
駆動用トランジスタ１１ａのゲート（Ｇ）端子に、ＤＡＴＡ電圧＋オフセット電圧（リセット電圧）を加えられたものを印加する段階と、
駆動用トランジスタ１１ａがプログラムされた電流をEL素子に流せるようになる段階と、
１水平走査期間毎に、ＥＬ素子１５と駆動用トランジスタ１１ａとの電流経路の導通と切断を周期的に行なう段階
とを有するＥＬ表示装置の駆動方法。」は、
本願補正発明である
「走査線とデータ線との交差に対応して配置された複数の画素と、前記走査線に走査信号を出力することにより、表示階調を示すデータの書込対象となる画素に対応する前記走査線を選択する走査線駆動回路と、前記走査線駆動回路と協働し、前記書込対象となる画素に対応する前記データ線に表示階調に相当する大きさのデータ電圧を出力するデータ線駆動回路とを有する電気光学装置の駆動方法において、
　前記書込対象となる画素に対応する前記データ線にデータ電圧を出力する第１のステップと、
　前記書込対象となる前記画素が有する第１のキャパシタと第２のキャパシタに、前記データ線に供給された前記データ電圧に応じてデータの書き込みを行う第２のステップと、
　前記書込対象となる画素が有する駆動トランジスタによって、前記第２のキャパシタに蓄積された電荷に応じた駆動電流を設定し、当該駆動電流を、駆動電流に応じた輝度で発光する電気光学素子に供給する第３のステップと、
　前記書込対象となる画素に対応する前記走査線が選択されてから、当該走査線が次に選択されるまでの期間において、前記走査信号に同期して前記駆動電流の電流経路の導通と遮断を繰り返す第４のステップ
とを有することを特徴とする電気光学装置の駆動方法。」に相当する。
　
３　当審の判断　
［２−１］ないし［２−１１］で詳細に検討したことから、本願補正発明は先願発明Ａと実質的な差異はなく、両発明は同一である。
　
４　小括
  したがって、本願補正発明は先願明細書に記載された発明と同一であると認められ、しかも、本願補正発明を発明した者が他の特許出願に係る発明の発明者と同一の者であるとも、また本願の出願の時にその出願人と当該他の特許出願の出願人とが同一の者であるとも認められないから、本願補正発明は、特許法第２９条の２の規定により特許出願の際独立して特許を受けることができない。
　以上のとおり、本件補正は、特許請求の範囲の減縮を目的とした補正としても、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
【３】本願発明
　平成１７年１０月１４日付けの手続補正は前記のとおり却下されたので、本願の請求項１、１８に係る発明は、平成１７年６月９日付け手続補正により補正された明細書及び図面の記載からみて、特許請求の範囲の請求項１、１８に記載された事項のうち「電流経路の遮断を繰り返す」は電流経路の導通と遮断を繰り返すの誤記と認め、以下のとおりのものと認める。
　
「　【請求項１】
　電気光学装置において、
　複数の走査線と、
　複数のデータ線と、
　　前記走査線と前記データ線との交差に対応して配置された複数の画素と、
　　前記走査線に走査信号を出力することにより、表示階調を示すデータの書込対象となる画素に対応する前記走査線を選択する走査線駆動回路と、
　　前記走査線駆動回路と協働し、前記書込対象となる画素に対応する前記データ線に表示階調に相当する大きさのデータ電流を出力するデータ線駆動回路とを有し、
　前記画素のそれぞれは、
　　駆動電流に応じた輝度で発光する電気光学素子と、
　　前記データ線を介して供給されたデータ電流に応じた電荷を蓄積することにより、データの書き込みが行われるキャパシタと、
　　前記キャパシタに蓄積された電荷に応じて、駆動電流を設定し、当該駆動電流を前記電気光学素子に供給する駆動トランジスタと、
　　前記書込対象となる画素に対応する前記走査線が選択されてから、当該走査線が次に選択されるまでの期間において、前記走査信号に同期して前記駆動電流の電流経路の導通と遮断を繰り返す制御トランジスタとを有することを特徴とする電気光学装置。」（以下、「本願発明１」という）。
　【請求項１８】
　走査線とデータ線との交差に対応して配置された複数の画素と、前記走査線に走査信号を出力することにより、表示階調を示すデータの書込対象となる画素に対応する前記走査線を選択する走査線駆動回路と、前記走査線駆動回路と協働し、前記書込対象となる画素に対応する前記データ線に表示階調に相当する大きさのデータ電圧を出力するデータ線駆動回路とを有する電気光学装置の駆動方法において、
　前記書込対象となる画素に対応する前記データ線にデータ電圧を出力する第１のステップと、
　前記書込対象となる前記画素が有するキャパシタに、前記データ線に供給された前記データ電圧に応じてデータの書き込みを行う第２のステップと、
　前記書込対象となる画素が有する駆動トランジスタによって、前記キャパシタに書き込まれたデータに応じた駆動電流を設定し、当該駆動電流を、駆動電流に応じた輝度で発光する電気光学素子に供給する第３のステップと、
　前記書込対象となる画素に対応する前記走査線が選択されてから、当該走査線が次に選択されるまでの期間において、前記走査信号に同期して前記駆動電流の電流経路の導通と遮断を繰り返す第４のステップとを有することを特徴とする電気光学装置の駆動方法。」（以下、「本願発明１８」という）。
　
【４−１】本願発明１８と先願発明との関係
１　先願発明
　原査定の拒絶の理由に引用された先願明細書及びその記載事項は、上記【２】［３］「１先願発明」の項に記載したとおりである。
２　本願発明１８と先願発明との対比・判断
本願発明１８は、上記「【２】［２］（３）「補正前の請求項１８が補正されたとした場合」で検討した本願補正発明（補正後の請求項８に係る発明）の発明特定事項から、
（１）第２のステップに関して、データの書き込みを行なう対象に関して、「第１のキャパシタと第２のキャパシタ」との限定事項
（２）第３のステップに関して、設定される駆動電流について、「前記第２のキャパシタに蓄積された電荷に応じた駆動電流」との限定事項
を省き、また第４のステップに関して補正後の「電流経路の導通と遮断を繰り返す」と記載すべきを「電流経路の遮断を繰り返す」と誤記したものである。
　　
　そうすると、本願発明１８の発明特定事項を全て含みさらに他の限定事項を付加したものに相当する本願補正発明が、上記【２】［３］「独立特許要件違反」で検討したとおり、本願補正発明は先願明細書に記載された発明と同一であると認められるから、本願発明１８も、同様の理由により、先願明細書に記載された発明と同一であると認められる。
　
【４−２】本願発明１と先願発明との関係
１　先願発明
　原査定の拒絶の理由に引用された先願明細書及びその記載事項は、上記【２】［３］「１先願発明」の項に記載したとおりであり、先願明細書に記載された事項から以下のことが読み取れる。
　
（１）ＥＬ表示装置について
　第１、６図から、
　ＥＬ表示装置が、複数のゲート信号線１７と、複数のソース信号線１８と、複数の画素１６と、ゲートドライバ１２と、ソースドライバ１４とを有すること、が読みとれる。
　
(２）画素について、
ア　第１図から、画素１６がゲート信号線１７とソース信号線１８との交差に対応して配置されていること、すなわち、
　ゲート信号線１７とソース信号線１８との交差に対応して配置された複数の画素１６、が読みとれる。
イ　前記記載ク及び第１図から、
　画素１６がＥＬ素子１５、コンデンサ１９、駆動用のトランジスタ１１ａ、スイッチング用のトランジスタ１１ｄを有すること、が読みとれる。
　　
（３）ゲートドライバ１２について、
　第１図から、
　ゲート信号線１７に対してゲート信号を出力するゲートドライバ１２、が読みとれる。
　前記記載オから
　ゲート信号線１７が行選択期間に導通状態とする手段は、ゲートドライバ１２、であることは明らかである。
　
　したがって、ゲート信号線１７に対してゲート信号を出力して、ゲート信号線１７を行選択期間に導通状態とするゲートドライバ１２、が読みとれる。
　
（４）ソースドライバ１４について、
ア　前記記載ウの「ゲート信号線（第１の走査線）１７ａに対してゲート信号を出力してアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ１４から流す。」において、ゲート信号線（第１の走査線）１７ａに対してゲート信号を出力する手段は、ゲートドライバ１２であることは明らかである。
　そうすると、前記記載ウの記載からみて、ソースドライバ１４はゲートドライバ１２の動作に伴なって動作する回路であるといえる。
イ　記載カの
（ア）「ソースドライバ１４から比較的大きな電流を出力する必要がある。しかし、このように大きな電流をソース信号線１８に流す」
（イ）「本発明は、画素への書き込み電流を所定値以外の値にし、ＥＬ素子１５に流れる電流を間欠状態にして駆動することに特徴がある。本明細書では説明を容易にするため、所定の電流のＮ倍の電流を画素のトランジスタ１１に書き込み」
（ウ）「前記所定の電流とは、画像信号が示す階調表示を実現するために必要となる電流である。」との記載から、
　ソース信号線１８に画像信号が示す階調表示を実現するために必要となる電流のＮ倍の電流を流すソースドライバ１４、が読みとれる。
エ　したがって、前記記載ウ、記載カから、ゲートドライバ１２の動作に伴なって動作し、ソース信号線１８に画像信号が示す階調表示を実現するために必要となる電流のＮ倍の電流を流すソースドライバ１４、が読みとれる。
　
（５）ＥＬ素子１５について、
　前記記載カの「１０倍の電流がＥＬ素子１５に流れ、ＥＬ素子１５は１０倍の輝度で発光する」との記載から、
　例えば、入力電流を１０倍にすると輝度が１０倍となるＥＬ素子１５、が読みとれる。
　
（６）コンデンサ１９について、
ア　前記記載カの「なお、１０倍の電流値を画素のトランジスタ１１ａ（正確にはコンデンサ１９の端子電圧を設定している）に書き込み」、
イ　前記記載クの「画像データはそのままコンデンサ１９に保持されている。」、
ウ　前記記載ケの「第１図の画素構成の場合、第３図（ａ）に示すように、電流プログラム時は、プログラム電流Ｉｗがソース信号線１８に流れる。この電流Ｉｗがトランジスタ１１ａを流れ、電流Ｉｗを流す電圧が保持されるように、コンデンサ１９に電圧設定（プログラム）される。このとき、トランジスタ１１ｄはオープン状態（オフ状態）である。
（略）今、電流Ｉｗが本来流すべき電流（所定値）の１０倍であるとすると」との記載から、
　ソース信号線１８に流れるプログラム電流Ｉｗを流す電圧が保持されるように電圧設定されるコンデンサ１９、が読みとれる。
　
（７）駆動用のトランジスタ１１ａについて、
ア　前記記載イ及び第１図から、
電流をＥＬ素子１５に供給する駆動用のトランジスタ１１ａ、が読みとれる。
イ　前記記載クの「コンデンサ１９の端子電圧に対応する電流をＥＬ素子１５に流す」手段は、駆動用のトランジスタ１１ａであることは明らかである。
　したがって、前記記載イ、記載ク、第１図から、
　コンデンサ１９の端子電圧に対応する電流をＥＬ素子１５に流す駆動用のトランジスタ１１ａ、が読みとれる。
　
（８）スイッチング用のトランジスタ１１ｄ，１１ｅについて、
ア　前記記載クの「トランジスタ１１ｄ、あるいはトランジスタ１１ｅなどをオンオフさせるだけでＥＬ素子１５に流す電流を制御する。」の記載があり、
　また、前記記載ケの「ゲート信号線１７ｂにオン電圧（Ｖｇｌ）が印加され、トランジスタ１１ｄがオンする。」の記載中の「オン電圧（Ｖｇｌ）が印加され」はゲート信号がオンになることを意味することは明らかであり、そしてゲート信号線１７ｂオフ電圧が印加される場合も含めてみると、上記記載ク及びケから、
　ゲート信号のオン、オフに応じてＥＬ素子１５に流す電流を制御するスイッチング用のトランジスタ１１ｄ、が読みとれる。
イ　前記記載キの「ＥＬ素子１５に供給する電流を１フレーム（あるいは１フィールド）の期間において、少なくとも１回、オフにする」手段は、スイッチング用のトランジスタ１１ｄであることは明らかである。
ウ　したがって、記載キ、ク、ケから、
　１フレーム（あるいは１フィールド）の期間において、ゲート信号のオン、オフに応じてＥＬ素子１５に流す電流を制御するスイッチング用のトランジスタ１１ｄ、が読みとれる。
　
（９）
　以上の記載アないし記載セ及び図面の記載を勘案すると、先願明細書には次の発明が記載されているものと認められる。
「ＥＬ表示装置において、
　複数のゲート信号線１７と、
　複数のソース信号線１８と、
　前記ゲート信号線１７と前記ソース信号線１８との交差に対応して配置された複数の画素１６と、
　前記ゲート信号線１７に対してゲート信号を出力して、前記ゲート信号線１７を行選択期間に導通状態とするゲートドライバ１２と、
　前記ゲートドライバ１２の動作に伴なって動作し、前記ソース信号線１８に画像信号が示す階調表示を実現するために必要となる電流のＮ倍の電流を流すソースドライバ１４とを有し、
　前記画素のそれぞれは、
　例えば、入力電流を１０倍にすると輝度が１０倍となるＥＬ素子１５と、
　前記ソース信号線１８に流れるプログラム電流Ｉｗを流す電圧が保持されるように電圧設定されるコンデンサ１９と、
　前記コンデンサ１９の端子電圧に対応する電流を前記ＥＬ素子１５に流す駆動用のトランジスタ１１ａと、
　１フレーム（あるいは１フィールド）の期間において、前記ゲート信号のオン、オフに応じて前記ＥＬ素子１５に流す電流を制御するスイッチング用のトランジスタ１１ｄとを有するＥＬ表示装置。」（以下、「先願発明Ｂ」という）。
　
２　対比
本願発明１と先願発明Ｂとを比較する。
　
［５−１］　
　先願発明Ｂの対象である「ＥＬ表示装置」は、本願発明１の対象である「電気光学装置」に相当する。
　以下同様に、先願発明Ｂの、
「ゲート信号線１７」は「走査線」に、「ソース信号線１８」は「データ線」に、「画素１６」は「画素」に、「ゲートドライバ１２」は「走査線駆動回路」に、「ソースドライバ１４」は「データ線駆動回路」に、「ＥＬ素子１５」は「電気光学素子」に、「コンデンサ１９」は「キャパシタ」に、「駆動用のトランジスタ１１ａ」は「駆動トランジスタ」に、「スイッチング用のトランジスタ１１ｄ」は「制御トランジスタ」に相当する。
　
［５−２］　先願発明Ｂの「画素１６」の配置について
　先願発明Ｂの「ゲート信号線１７とソース信号線１８との交差に対応して配置された」は、本願発明の「前記走査線と前記データ線との交差に対応して配置された」に相当する。
　したがって、先願発明Ｂの「前記ゲート信号線１７と前記ソース信号線１８との交差に対応して配置された複数の画素１６」は、本願発明１の「前記走査線と前記データ線との交差に対応して配置された複数の画素」に相当する。
　
［５−３］　先願発明Ｂの「ゲートドライバ１２」の機能について
　先願発明Ｂの「ゲート信号を出力して」は本願発明１の「走査信号を出力することにより」に相当する。
　先願発明Ｂの「前記ゲート信号線１７を行選択期間に導通状態とする」は本願発明１の「前記走査線を選択する」に相当する。
　そして、先願明細書の第１１頁第２７〜２８行には、「有機ＥＬ表示パネルに用いられるアクティブマトリックス方式は、（１）特定の画素を選択し、必要な表示情報を与えられること」が記載されていることから、先願発明Ｂの、行選択期間に導通状態とされる「前記ゲート信号線１７」は、本願発明１でいう「表示階調を示すデータの書込対象となる画素に対応する」ものであることは明らかである。
　
　したがって、先願発明Ｂの「前記ゲート信号線１７に対してゲート信号を出力して、前記ゲート信号線１７を行選択期間に導通状態とするゲートドライバ１２」は、本願発明１の「前記走査線に走査信号を出力することにより、表示階調を示すデータの書込対象となる画素に対応する前記走査線を選択する走査線駆動回路」に相当する。
　
［５−４］　先願発明Ｂの「ソースドライバ１４」の機能について
　先願発明Ｂの「前記ゲートドライバ１２の動作に伴なって動作し」は本願発明１の「前記走査線駆動回路と協働し」に相当する。
　そして、先願明細書の第１１頁第２７〜２８行には、「有機ＥＬ表示パネルに用いられるアクティブマトリックス方式は、（１）特定の画素を選択し、必要な表示情報を与えられること」が記載されていることから、先願発明Ｂの、画像信号が示す階調表示を実現するために必要となる電流のＮ倍の電流を流される「前記ソース信号線１８」は、本願発明でいう「書込対象となる画素に対応する」ものであることは明らかである。
　先願発明Ｂの「前記ソース信号線１８」は本願発明の「前記データ線」に相当する。
　先願発明Ｂの「画像信号が示す階調表示を実現するために必要となる電流のＮ倍」は、この「Ｎ倍」の電流がゲート信号のオン、オフに応じてＥＬ素子１５に流れることにより表示階調を実現するものであるから、本願発明１の「表示階調に相当する大きさ」に相当する。
　先願発明Ｂの「電流を流す」は、その電流が「階調表示を実現するため」の電流であるから、本願発明１の「データ電流を出力する」に相当する。
　
　したがって、先願発明Ｂの「前記ゲートドライバ１２の動作に伴なって動作し、前記ソース信号線１８に画像信号が示す階調表示を実現するために必要となる電流のＮ倍の電流を流すソースドライバ１４」は、本願発明の「前記走査線駆動回路と協働し、前記書込対象となる画素に対応する前記データ線に表示階調に相当する大きさのデータ電流を出力するデータ線駆動回路」に相当する。
　
［５−５］　先願発明Ｂの「ＥＬ素子１５」の機能について
　先願発明Ｂの「例えば、入力電流を１０倍にすると輝度が１０倍となるＥＬ素子１５」は、本願発明１の「駆動電流に応じた輝度で発光する電気光学素子」に相当する。
　
［５−６］　先願発明Ｂの 「 コンデンサ１９」の機能について
　先願発明Ｂの「コンデンサ１９」は電荷を蓄積保持するものであるから、先願発明の「ソース信号線１８に流れるプログラム電流Ｉｗを流す電圧が保持され」は、プログラム電流Ｉｗに応じた電荷を蓄積保持することを意味すると解される。
　このことを考慮すると、先願発明Ｂの「ソース信号線１８に流れるプログラム電流Ｉｗを流す電圧が保持されるように電圧設定されるコンデンサ１９」は、本願発明の「データ線を介して供給されたデータ電流に応じた電荷を蓄積することにより、データの書き込みが行われるキャパシタ」に相当する。
　
［５−７］　先願発明Ｂの「駆動用のトランジスタ１１ａ」の機能について
［５−６］で既述したように、「コンデンサ１９」は電荷を蓄積保持するものであるから、先願発明Ｂの「コンデンサ１９の端子電圧」はコンデンサ１９に蓄積保持された電荷に対応する電圧を意味するものと解される。
　このことを考慮すると、先願発明Ｂの「コンデンサ１９の端子電圧に対応する電流を前記ＥＬ素子１５に流す駆動用のトランジスタ１１ａ」は本願発明１の「キャパシタに蓄積された電荷に応じて、駆動電流を設定し、当該駆動電流を前記電気光学素子に供給する駆動トランジスタ」に相当する。
　
［５−８］　先願発明Ｂの「スイッチング用のトランジスタ１１ｄ」の機能について
　先願発明Ｂの「１フレーム（あるいは１フィールド）の期間」は本願発明の「前記書込対象となる画素に対応する前記走査線が選択されてから、当該走査線が次に選択されるまでの期間」に相当する。
　先願発明Ｂの「前記ゲート信号のオン、オフに応じて前記ＥＬ素子１５に流す電流を制御する」は本願発明１の「前記走査信号に同期して前記駆動電流の電流経路の導通と遮断を繰り返す」に相当する。
　したがって、先願発明Ｂの「１フレーム（あるいは１フィールド）の期間において、前記ゲート信号のオン、オフに応じて前記ＥＬ素子１５に流す電流を制御するスイッチング用のトランジスタ１１ｄ」は本願発明の「前記書込対象となる画素に対応する前記走査線が選択されてから、当該走査線が次に選択されるまでの期間において、前記走査信号に同期して前記駆動電流の電流経路の導通と遮断を繰り返す制御トランジスタ」に相当する。
　
　以上  ［５−１］ないし［５−８］をまとめると、
　先願発明Ｂの
「ＥＬ表示装置において、
　複数のゲート信号線１７と、
　複数のソース信号線１８と、
　前記ゲート信号線１７と前記ソース信号線１８との交差に対応して配置された複数の画素１６と、
　前記ゲート信号線１７に対してゲート信号を出力して、前記ゲート信号線１７を行選択期間に導通状態とするゲートドライバ１２と、
　前記ゲートドライバ１２の動作に伴なって動作し、前記ソース信号線１８に画像信号が示す階調表示を実現するために必要となる電流のＮ倍の電流を流すソースドライバ１４とを有し、
　前記画素のそれぞれは、
　例えば、入力電流を１０倍にすると輝度が１０倍となるＥＬ素子１５と、
　前記ソース信号線１８を流れるプログラム電流Ｉｗを保持するように電圧設定されるコンデンサ１９と、
　前記コンデンサ１９の端子電圧に対応する電流を前記ＥＬ素子１５に流す駆動用のトランジスタ１１ａと、
　１フレーム（あるいは１フィールド）の期間において、前記ゲート信号のオン、オフに応じて前記ＥＬ素子１５に流す電流を制御するスイッチング用のトランジスタ１１ｄとを有するＥＬ表示装置。」は、
本願発明１の
「電気光学装置において、
　複数の走査線と、
　複数のデータ線と、
　　前記走査線と前記データ線との交差に対応して配置された複数の画素と、
　　前記走査線に走査信号を出力することにより、表示階調を示すデータの書込対象となる画素に対応する前記走査線を選択する走査線駆動回路と、
　　前記走査線駆動回路と協働し、前記書込対象となる画素に対応する前記データ線に表示階調に相当する大きさのデータ電流を出力するデータ線駆動回路とを有し、
　前記画素のそれぞれは、
　　駆動電流に応じた輝度で発光する電気光学素子と、
　　前記データ線を介して供給されたデータ電流に応じた電荷を蓄積することにより、データの書き込みが行われるキャパシタと、
　　前記キャパシタに蓄積された電荷に応じて、駆動電流を設定し、当該駆動電流を前記電気光学素子に供給する駆動トランジスタと、
　　前記書込対象となる画素に対応する前記走査線が選択されてから、当該走査線が次に選択されるまでの期間において、前記走査信号に同期して前記駆動電流の電流経路の導通と遮断を繰り返す制御トランジスタとを有することを特徴とする電気光学装置。」に相当する。
　
３　当審の判断　
［５−１］ないし［５−９］で詳細に検討したことから、本願発明１は先願発明Ｂと実質的な差異はなく、両発明は同一である。
　
【５】むすび
  したがって、本願の請求項１、請求項１８に係る発明は先願明細書に記載された発明と同一であると認められ、しかも、本願の請求項１、請求項１８に係る発明を発明した者が他の特許出願に係る発明の発明者と同一の者であるとも、また本願の出願の時にその出願人と当該他の特許出願の出願人とが同一の者であるとも認められないから、本願の請求項１、請求項１８に係る発明は、特許法第２９条の２の規定により特許を受けることができない。
　よって、結論のとおり審決する。